(57)【要約】【課題】電圧範囲判断回路を提供すること。【解決手段】電圧範囲判断回路は対象電圧生成部、選択電圧生成部、比較電圧選択部及び出力信号生成部を含む。対象電圧生成部は、入力電圧に基づいて対象電圧を生成する。選択電圧生成部は、基準電圧に基づいて第１〜第２選択電圧を生成する。比較電圧選択部は、出力信号に基づいて、第１〜第２選択電圧の中で１つを選択して比較電圧に出力する。出力信号生成部は、対象電圧と比較電圧を比べて出力信号を生成する。電圧範囲判断回路は外部ノイズが流入する場合も入力電圧の電圧範囲を正確に判断することができる。【選択図】図１
2011061777.tif 000002
【特許請求の範囲】
【請求項１】
入力電圧に基づいて前記入力電圧がスケールダウンされた対象電圧を生成する対象電圧生成部と、
基準電圧に基づいた第１選択電圧及び前記第１選択電圧より小さい第２選択電圧を生成する選択電圧生成部と、
出力信号に基づいて前記第１〜第２選択電圧の中で１つを選び、比較電圧に出力する比較電圧選択部と、
前記対象電圧と前記比較電圧を比べ、前記出力信号を生成する出力信号生成部と、を含む電圧範囲判断回路。
【請求項２】
前記第１及び第２対象電圧の電圧範囲を判断するための区画化された対象電圧範囲は第１及び第２対象電圧範囲を含み、前記対象電圧の電圧範囲は前記出力信号の論理状態に基づいて判断されることを特徴とする請求項１に記載の電圧範囲判断回路。
【請求項３】
前記第１及び第２対象電圧範囲は前記出力信号の論理状態に基づいて電圧範囲履歴区間（ｖｏｌｔａｇｅ ｒａｎｇｅ ｈｙｓｔｅｒｅｓｉｓ ｐｅｒｉｏｄ）ほど変更されることを特徴とする請求項２に記載の電圧範囲判断回路。
【請求項４】
前記電圧範囲履歴区間は、前記第１選択電圧と前記第２選択電圧の間の電圧差に相応することを特徴とする請求項３に記載の電圧範囲判断回路。
【請求項５】
前記入力電圧の電圧範囲を判断するために区画化された入力電圧範囲は、第１及び第２入力電圧範囲を含み、前記第１及び第２入力電圧範囲はそれぞれ前記第１及び第２対象電圧範囲に対してスケールアップをすることにより決定されることを特徴とする請求項４に記載の電圧範囲判断回路。
【請求項６】
前記入力電圧が下降するに伴い前記対象電圧が前記比較電圧より小さくなると、前記第１対象電圧範囲は前記電圧範囲履歴区間ほど狭くなり、前記第２対象電圧範囲は前記電圧範囲履歴区間ほど広がることを特徴とする請求項５に記載の電圧範囲判断回路。
【請求項７】
前記入力電圧が上昇するに伴い前記対象電圧が前記比較電圧より大きくなると、前記第１対象電圧範囲は前記電圧範囲履歴区間ほど広がり、前記第２対象電圧範囲は前記電圧範囲履歴区間ほど狭くなることを特徴とする請求項５に記載の電圧範囲判断回路。
【請求項８】
入力電圧を電圧分配して前記入力電圧がスケールダウンされた対象電圧を生成する対象電圧生成部と、
基準電圧を電圧分配して複数の選択電圧で構成された第１〜第ｎ（ただ、ｎは２以上の正数）選択電圧グループを生成する選択電圧生成部、
第１〜第ｎ出力信号に基づいて前記第１〜第ｎ選択電圧グループ内からそれぞれ１つの選択電圧を選択して第１〜第ｎ比較電圧に出力する比較電圧選択部と、
前記対象電圧と前記第１〜第ｎ比較電圧を比べて前記第１〜第ｎ出力信号を生成する出力信号生成部と、を含む電圧範囲判断回路。
【請求項９】
前記対象電圧の電圧範囲を判断するために区画化された対象電圧範囲は、第１〜第ｎ＋１対象電圧範囲を含み、前記対象電圧の電圧範囲は、前記第１〜第ｎ出力信号の論理状態に基づいて判断されることを特徴とする請求項８に記載の電圧範囲判断回路。
【請求項１０】
前記第１〜第ｎ＋１対象電圧範囲は前記第１〜第ｎ出力信号の論理状態に基づいて変更され、第１〜第ｎ電圧範囲履歴区間は前記第１〜第ｎ選択電圧グループを構成する前記選択電圧の電圧差にそれぞれ相応することを特徴とする請求項９に記載の電圧範囲判断回路。
【発明の詳細な説明】
【技術分野】
【０００１】
本発明は、電子機器に関するもので、より詳しくは電子機器のディスプレイ装置で使われる電圧範囲判断回路に関する。
【背景技術】
【０００２】
最近、電子機器が小型化及び低電力化につれ、ディスプレイ装置には別のロードロップアウト（Ｌｏｗ Ｄｒｏｐ Ｏｕｔ; ＬＤＯ）電圧レギュレータが使われていない趨勢である。つまり、バッテリーから出力される電源電圧がディスプレイ装置に印加され、電源電圧はＬＤＯ電圧レギュレータを通さず、ディスプレイ装置に直接供給される。
【０００３】
一般的に、バッテリーから出力される電源電圧は電子機器が動作するによって、電圧レベルが低くなり、バッテリーが充電されるに伴い電圧レベルが高くなるため、ＬＤＯ電圧レギュレータを使わない電子機器のディスプレイ装置はバッテリーから出力される電源電圧を直接供給され、可変する電源電圧の電圧範囲に基づいて、ディスプレイ駆動電圧を生成しなければならない。
【０００４】
よって、従来のディスプレイ装置は可変する電源電圧の電圧範囲を判断することにおいて、可変する電源電圧が区画化された電圧範囲の中で、どこに存在するのかを判断する方式を採用している。しかし、従来のディスプレイ装置は外部ノイズが流入されると、区画化された電圧範囲の境界で電源電圧の電圧範囲を不正確に判断するという問題点を有する。
【先行技術文献】
【特許文献】
【０００５】
【特許文献１】米国特許６，４４５，２４６号明細書
【特許文献２】米国特許７，０３５，３４９号明細書
【特許文献３】韓国特許出願公開２００４−００５３６４１号明細書
【発明の概要】
【発明が解決しようとする課題】
【０００６】
本発明の一目的は、外部ノイズが流入された場合も、可変する入力電圧の電圧範囲を正確に判断することができる電圧範囲判断回路を提供することにある。
【０００７】
本発明の他の目的は、前記電圧範囲判断回路を含む電圧供給回路を提供することにある。
【課題を解決するための手段】
【０００８】
本発明の一目的を達成するために、本発明の一実施形態による電圧範囲判断回路は入力電圧に基づいて、前記入力電圧がスケールダウンされた対象電圧を生成する対象電圧生成部、基準電圧に基づいて第１選択電圧及び前記第１選択電圧より小さい第２選択電圧を生成する選択電圧生成部、出力信号に基づいて前記第１〜第２電卓電圧の中で１つを選び、比較電圧に出力する比較電圧選択部及び前記対象電圧と前記比較電圧を比べて、前記出力信号を生成する出力信号生成部を含むことができる。
【０００９】
前記電圧範囲判断回路の実施形態によると、前記対象電圧の電圧範囲を判断するための区画化された対象電圧範囲は第１及び第２対象電圧範囲を含み、前記対象電圧の電圧範囲は前記出力信号の論理状態に基づいて判断することができる。
【００１０】
前記電圧範囲判断回路の実施形態によると、前記第１及び第２対象電圧範囲は前記出力信号の論理状態に基づいて電圧範囲履歴区間（ｖｏｌｔａｇｅ ｒａｎｇｅ ｈｙｓｔｅｒｅｓｉｓ ｐｅｒｉｏｄ）ほど変更することができる。
【００１１】
前記電圧範囲判断回路の実施形態によると、前記電圧範囲履歴区間は前記第１選択電圧と前記第２選択電圧との間の電圧差に相応することができる。
【００１２】
前記電圧範囲判断回路の実施形態によると、前記入力電圧の電圧範囲を判断するための区画化された入力電圧は第１及び第２入力電圧範囲を含み、前記第１及び第２入力電圧範囲はそれぞれ前記第１及び第２対象電圧範囲に対して、スケールアップ（ｓｃａｌｅ  ｕｐ）をすることによって決めることができる。
【００１３】
前記電圧範囲判断回路の実施例によると、前記入力電圧が下降することによって、前記対象電圧が前記比較電圧より小さくなると、前記第１対象電圧範囲は前記電圧範囲履歴区間ほど狭くなり、前記第２対象電圧範囲は前記電圧履歴区間ほど広くなることもある。
【００１４】
前記電圧範囲判断回路の実施形態によると、前記入力電圧が上昇することによって前記対象電圧範囲履歴区間ほど広くなり、前記第２対象電圧範囲は前記電圧範囲履歴区間ほど狭くなることもある。
【００１５】
前記電圧判断回路の実施形態によると、前記対象電圧は前記出力信号が第１論理状態を有すると、前記１対象電圧範囲にあると判断され、前記出力信号が第２論理状態を有すると、前記第２対象電圧範囲にあると判断することができる。
【００１６】
前記電圧範囲判断回路の実施形態によると、前記対象電圧が前記第１対象電圧範囲にあると判断されると、前記入力電圧が前記第１入力電圧範囲にあると判断されて、前記対象電圧が前記第２対象電圧範囲にあると判断されると、前記入力電圧が前記第２入力電圧範囲にあると判断されることができる。
【００１７】
前記電圧範囲判断回路の実施形態によると、前記対象電圧生成部は前記入力電圧を電圧分配して、前記対象電圧を生成するための複数の抵抗で具現されることができる。
【００１８】
前記電圧範囲判断回路の実施形態によると、前記選択電圧生成部は前記基準電圧を電圧分配して、前記第１及び第２選択電圧を生成するための複数の抵抗で具現されることができる。
【００１９】
前記電圧範囲判断回路の実施形態によると、前記比較電圧選択部は前記出力信号に応答して、前記第１選択電圧または第２選択電圧を選択的に前記比較電圧に出力するためのマルチプレクサ（ｍｕｌｔｉｐｌｅｘｅｒ）で具現されることができる。
【００２０】
前記電圧範囲判断回路の実施形態によると、前記出力信号生成部は前記対象電圧と前記比較電圧を比べ、前記出力信号を生成するための比較器（ｃｏｍｐａｒａｔｏｒ）に具現されることもある。
【００２１】
本発明の一目的を達成するために、本発明の他の実施形態による電圧範囲判断回路は入力電圧を電圧分配して、前記入力電圧がスケールダウンされた対象電圧を生成する対象電圧生成部、基準電圧を電圧分配して複数の選択電圧で構成された第１〜第ｎ（ただ、ｎは２以上の正数）選択電圧グループを生成する選択電圧生成部、第１〜第ｎ出力信号に基づいて、前記第１〜第ｎ選択電圧グループのうちからそれぞれ１つの選択電圧を選び、第１〜第ｎ比較電圧に出力する比較電圧選択部及び前記対象電圧と前記第１〜第ｎ比較電圧を比べて、前記第１〜第ｎ出力信号を生成する出力信号生成部を含むことができる。
【００２２】
前記電圧範囲判断回路の実施形態によると、前記対象電圧の電圧範囲を判断するための区画化された対象電圧範囲は第１〜第ｎ＋１対象電圧範囲を含み、前記対象電圧の電圧範囲は前記第１〜第ｎ出力信号の論理状態に基づいて判断することができる。
【００２３】
前記電圧範囲判断回路の実施形態によると、前記第１〜第ｎ＋１対象電圧範囲は前記第１〜第ｎ出力信号の論理状態に基づいて変更することができる。
【００２４】
前記電圧範囲判断回路の実施形態によると、第１〜第ｎ電圧範囲履歴区間は前記第１〜第ｎ選択電圧グループを構成する前記選択電圧の電圧差にそれぞれ相応することができる。
【００２５】
前記電圧範囲判断回路の実施形態によると、前記入力電圧の電圧範囲を判断するための区画化された入力電圧範囲は、第１〜第ｎ入力電圧範囲を含み、前記第１〜第ｎ入力電圧範囲はそれぞれ前記第１〜第ｎ対象電圧範囲に対してスケールアップ（ｓｃａｌｅ  ｕｐ）をすることによって、決定することができる。
【発明の効果】
【００２６】
本発明の実施形態による電圧範囲判断回路は可変する入力電圧、例えば、バッテリーから出力される電源電圧に対して電圧範囲を区画化し、区画化された電圧範囲の境界に電圧範囲履歴区間を設定することによって、外部ノイズが流入される場合も可変する入力電圧の電圧範囲を正確に判断することができる。
【００２７】
本発明の実施形態による電圧供給回路は、前記電圧範囲判断回路を含むことによって可変する入力電圧、例えば、バッテリーから出力される電源電圧に基づいて定電圧(ｓｔａｂｌｅ ｖｏｌｔａｇｅ)に近い出力電圧を供給することができる。
【図面の簡単な説明】
【００２８】
【図１】本発明の一実施形態に係わる電圧範囲判断回路を示したブロック図である。
【図２】入力電圧が下降する場合、図１の電圧範囲判断回路の動作を示したフローチャートである。
【図３】入力電圧が下降する場合、図１の電圧範囲判断回路により、変更される電圧範囲を示したグラフ図である。
【図４】入力電圧が上昇する場合、図１の電圧範囲判断回路の動作を示したフローチャートである。
【図５】入力電圧が上昇した場合、図１の電圧範囲判断回路により、変更される電圧範囲を示したグラフである。
【図６】図１の電圧範囲判断回路を含めた電圧供給回路を示したブロック図である。
【図７】図６の電圧供給回路を含むディスプレイ駆動電圧生成回路を示したブロック図である。
【図８】本発明の他の実施形態に係わる電圧範囲判断回路を示したブロック図である。
【図９】入力電圧が下降する場合、図８の電圧範囲判断回路の動作を示したフローチャートである。
【図１０】入力電圧が下降する場合、図８の電圧範囲判断回路の動作を示したフローチャートである。
【図１１】入力電圧が下降する場合、図８の電圧範囲判断回路の動作を示した第１グラフである。
【図１２】入力電圧が下降する場合、図８の電圧範囲判断回路の動作を示した第２グラフである。
【図１３】入力電圧が下降する場合、図８の電圧範囲判断回路の動作を示した第３グラフである。
【図１４】入力電圧が下降する場合、図８の電圧範囲判断回路により、変更される電圧範囲を示したグラフである。
【図１５】入力電圧が上昇する場合、図８の電圧範囲判断回路の動作を示したフローチャートである。
【図１６】入力電圧が上昇する場合、図８の電圧範囲判断回路の動作を示したフローチャートである。
【図１７】入力電圧が上昇する場合、図８の電圧範囲判断回路の動作を示した第１グラフである。
【図１８】入力電圧が上昇する場合、図８の電圧範囲判断回路の動作を示した第２グラフである。
【図１９】入力電圧が上昇する場合、図８の電圧範囲判断回路の動作を示した第３グラフである。
【図２０】入力電圧が上昇する場合、図８の電圧範囲判断回路の動作により、変更される電圧範囲を示したグラフである。
【図２１】図８の電圧範囲判断回路を含む電圧供給回路を示したブロック図である。
【図２２】図２１の電圧供給回路を含むディスプレイ駆動電圧生成回路を示したブロック図である。
【図２３】本発明の実施形態によるディスプレイ駆動電圧生成回路を含むディスプレイ装置の一例を示したブロック図である。
【発明を実施するための形態】
【００２９】
図１は本発明の一実施形態に係わる電圧範囲判断回路を示したブロック図である。
【００３０】
図１を参照すると、電圧範囲判断回路１００は対象電圧生成部１２０、選択電圧生成部１４０、比較電圧選択部１６０及び出力信号生成部１８０を含むことができる。
【００３１】
対象電圧生成部１２０は入力電圧Ｖｉｎに基づいて対象電圧Ｖｏｂｊを生成する。一実施形態において、対象電圧生成部１２０は抵抗素子ＩＲ１、ＩＲ２を利用して、入力電圧Ｖｉｎを電圧分配することによって入力電圧Ｖｉｎがスケールダウンされた対象電圧Ｖｏｂｊを生成することができる。一般に、電子機器に入力される入力電圧Ｖｉｎ、例えば、バッテリーから出力される電源電圧は電子機器の内部で使用可能の電圧スケールに比べて高い電圧レベルを有するため、入力電圧Ｖｉｎを電子機器の内部で使用するためには入力電圧Ｖｉｎを電子機器の内部で使用可能の電圧スケールにスケールダウン（ｓｃａｌｅ  ｄｏｗｎ）しなければならない。よって、対象電圧生成部１２０は入力電圧Ｖｉｎをスケールダウンして、電子機器の内部で使用可能の電圧スケールの対象電圧Ｖｏｂｊを生成することができる。ただ、入力電圧Ｖｉｎが電子機器の内部で使用可能の電圧スケールの場合は対象電圧Ｖｏｂｊは入力電圧Ｖｉｎと実質的に同様でもありうる。対象電圧生成部１２０が入力電圧Ｖｉｎを電圧分配するために利用する抵抗素子ＩＲ１、ＩＲ２は可変抵抗素子でもありうる。実施形態により、対象電圧生成部１２０は抵抗素子ＩＲ１、ＩＲ２の代わりにダイオード（ｄｉｏｄｅ）などのような能動素子（ａｃｔｉｖｅ ｅｌｅｍｅｎｔ）を使用して、入力電圧Ｖｉｎを電圧分配することができる。
【００３２】
選択電圧生成部１４０は基準電圧Ｖｒｅｆに基づいて第１〜第２選択電圧Ｖｓ１、Ｖｓ２を生成する。一実施形態において、選択電圧生成部１４０は抵抗素子ＲＲ１、ＲＲ２、Ｒｒ１を利用して、基準電圧Ｖｒｅｆを電圧分配することにより第１〜第２選択電圧Ｖｓ１、Ｖｓ２を生成することができる。このように、選択電圧生成部１４０は比較電圧Ｖｃｏｍの候補（ｃａｎｄｉｄａｔｅ）として第１〜第２選択電圧Ｖｓ１、Ｖｓ２を生成することができて、第１選択電圧Ｖｓ１と第２選択電圧Ｖｓ２の間の電圧差は区画化された電圧範囲の境界に設定される電圧範囲履歴区間に相応することができる。つまり、選択電圧生成部１４０は第１選択電圧Ｖｓ１と第２選択電圧Ｖｓ２の間の電圧差を調節することによって前記電圧範囲履歴区間を決めることができる。選択電圧生成部１４０が基準電圧Ｖｒｅｆを電圧分配して第１〜第２選択電圧Ｖｓ１、Ｖｓ２を生成するために利用する抵抗素子ＲＲ１、ＲＲ２、Ｒｒ１は可変抵抗素子でもあり、抵抗素子Ｒｒ１の抵抗値を可変することによって、前記電圧範囲履歴区間を決定することができる。実施形態に係わり、選択電圧生成部１４０は抵抗素子ＲＲ１、ＲＲ２、Ｒｒ１の代わりにダイオードなどのような能動素子を利用して基準電圧Ｖｒｅｆを電圧分配することができる。
【００３３】
比較電圧選択部１６０は出力信号生成部１８０からフィードバック（ｆｅｅｄｂａｃｋ）される出力信号ＯＵＴに基づいて選択電圧生成部１４０から入力される第１〜第２選択電圧Ｖｓ１、Ｖｓ２の中で１つを選択して比較電圧Ｖｃｏｍに出力する。一実施形態において、比較電圧選択部１６０は第１論理状態の出力信号ＯＵＴに応えて第１選択電圧Ｖｓ１を出力し、第２論理状態の出力信号ＯＵＴに応えて第２選択電圧Ｖｓ２を出力するマルチプレクサ「ＭＵＸ」に具現されることができる。例えば、比較電圧選択部１６０は論理ハイ（ｈｉｇｈ）状態の出力信号ＯＵＴに応えて低い電圧レベルの第１選択電圧Ｖｓ１を選ぶことができ、論理ロー状態の出力信号ＯＵＴに応答し、高い電圧レベルの第２選択電圧Ｖｓ２を選ぶことができる。実施形態に係わり、選択電圧生成部１４０から複数の選択電圧を生成する場合、比較電圧選択部１６０は出力信号ＯＵＴの電圧範囲に応えて複数の選択電圧の中でひとつを選択する構成に具現されることもできる。
【００３４】
出力信号生成部１８０は対象電圧Ｖｏｂｊと比較電圧Ｖｃｏｍを比べることによって、比較結果に相応する出力信号ＯＵＴを生成する。一実施形態において、出力信号生成部１８０は対象電圧Ｖｏｂｊが比較電圧Ｖｃｏｍより大きい場合、第１論理状態の出力信号ＯＵＴを生成し、対象電圧Ｖｏｂｊが比較電圧Ｖｃｏｍより小さい場合、第２論理状態の出力信号ＯＵＴを生成する比較器ＣＯＭに具現することができる。対象電圧Ｖｏｂｊの電圧範囲は出力信号生成部１８０が生成する出力信号ＯＵＴに基づいて判断されることができるが、第１論理状態の出力信号ＯＵＴが生成される場合は、対象電圧Ｖｏｂｊが第１電圧範囲に存在すると判断されることもでき、第２論理状態の出力信号ＯＵＴが生成される場合は、対象電圧Ｖｏｂｊが第２電圧範囲に存在すると判断することができる。例えば、出力信号生成部１８０は対象電圧Ｖｏｂｊが比較電圧Ｖｃｏｍより大きい場合、論理ハイ状態の出力信号ＯＵＴを生成することによって、対象電圧Ｖｏｂｊが高い電圧範囲に存在することを示すことができ、対象電圧Ｖｏｂｊが比較電圧Ｖｃｏｍより小さい場合、論理ロー状態の出力信号ＯＵＴを生成することにより、対象電圧Ｖｏｂｊが低い電圧範囲に存在することを示すことができる。更に対象電圧Ｖｏｂｊは、入力電圧Ｖｉｎがスケールダウンされることによって生成されるもののため、入力電圧Ｖｉｎの電圧範囲は対象電圧Ｖｏｂｊの電圧範囲に対してスケールアップをすることにより判断することができる。
【００３５】
このように、電圧範囲判断回路１００は入力電圧Ｖｉｎ、例えば、バッテリーから出力される電源電圧に対して電圧範囲を区画化し、区画化された電圧範囲の境界に電圧範囲履歴区間を設定することにより、外部ノイズが流入される場合も入力電圧Ｖｉｎの電圧範囲を正確に判断することができる。具体的に、電圧範囲判断回路１００は電子機器が動作することに伴い入力電圧Ｖｉｎが下降する場合、対象電圧Ｖｏｂｊが第１選択電圧Ｖｓ１に選択された比較電圧Ｖｃｏｍより小さくなると、比較電圧Ｖｃｏｍを第１選択電圧Ｖｓ１より高い電圧レベルを有する第２選択電圧Ｖｓ２に変更することができる。また、電圧範囲判断回路１００はバッテリーが充電されるに伴い入力電圧Ｖｉｎが上昇する場合、対象電圧Ｖｏｂｊが第２選択電圧Ｖｓ２に選択された比較電圧Ｖｃｏｍより大きくなると、比較電圧Ｖｃｏｍを第２選択電圧Ｖｓ２より低い電圧レベルを有する第１選択電圧Ｖｓ１に変更することができる。このような電圧範囲判断回路１００の動作によって対象電圧Ｖｏｂｊの電圧範囲は外部ノイズが流入されて対象電圧Ｖｏｂｊに変化が現れるとしても正確に判断されることができ、入力電圧Ｖｉｎの電圧範囲も対象電圧Ｖｏｂｊの電圧範囲に対してスケールアップすることにより正確に判断することができる。
【００３６】
図２は入力電圧が下降する場合、図１の電圧範囲判断回路の動作を示したフローチャートである。
【００３７】
図２を参照すると、電圧範囲判断回路１００は入力電圧Ｖｉｎがスケールダウンされて生成された対象電圧Ｖｏｂｊが第１選択電圧Ｖｓ１に選択された比較電圧Ｖｃｏｍより大きい場合、対象電圧Ｖｏｂｊを第１電圧範囲として判断Ｓ１００する。電圧範囲判断回路１００は対象電圧Ｖｏｂｊが第１選択電圧Ｖｓ１に選択された比較電圧Ｖｃｏｍより小さくなるまでは比較電圧Ｖｃｏｍを第１選択電圧Ｖｓ１に保持Ｓ１１０する。電圧範囲判断回路１００は対象電圧Ｖｏｂｊが第１選択電圧Ｖｓ１に選択された比較電圧Ｖｃｏｍより小さくなったのかを判断１２０して対象電圧Ｖｏｂｊが第１選択電圧Ｖｓ１に選択された比較電圧Ｖｃｏｍより小さくなると比較電圧Ｖｃｏｍを第１選択電圧Ｖｓ１より高い電圧レベルを有する第２選択電圧Ｖｓ２に変更Ｓ１３０する。電圧範囲判断回路１００は対象電圧Ｖｏｂｊが第２選択電圧Ｖｓ２に変更された比較電圧Ｖｃｏｍよりさらに小さくなるため、外部ノイズが流入される場合も対象電圧Ｖｏｂｊを第２電圧範囲に判断Ｓ１４０する。このように、電圧範囲判断回路１００は入力電圧Ｖｉｎが下降する場合、第１電圧範囲を第１選択電圧Ｖｓ１より大きい範囲に決め、対象電圧Ｖｏｂｊが第１選択電圧Ｖｓ１より小さくなる始点で第１電圧範囲を第２選択電圧Ｖｓ２より大きい範囲に変更する。また、電圧範囲判断回路１００は入力電圧Ｖｉｎが下降する場合、第2電圧範囲を第１選択電圧Ｖｓ１より小さい範囲に決め、対象電圧Ｖｏｂｊが第１選択電圧Ｖｓ１より小さくなる始点で第２電圧範囲を第２選択電圧Ｖｓ２より小さい範囲に変更する。つまり、電圧範囲判断回路１００は入力電圧Ｖｉｎが下降する場合、対象電圧Ｖｏｂｊが第１選択電圧Ｖｓ１より小さくなる始点で第１電圧範囲を電圧範囲履歴区間ほど狭めて、第２電圧範囲を電圧範囲履歴区間ほど広めることにより、外部ノイズが流入される場合も対象電圧Ｖｏｂｊの電圧範囲を正確に判断することができる。更に入力電圧Ｖｉｎの電圧範囲は対象電圧Ｖｏｂｊの電圧範囲に対してスケールアップすることにより判断されるため、電圧範囲判断回路１００は入力電圧Ｖｉｎの電圧範囲も正確に判断することできる。 
【００３８】
図３は入力電圧が下降される場合に図１の電圧範囲判断回路に係わって変更される電圧範囲を示したグラフである。
【００３９】
図３を参照すると、入力電圧Ｖｉｎがスケールダウンされて形成された対象電圧Ｖｏｂｊが第１選択電圧Ｖｓ１に選択された比較電圧Ｖｃｏｍより大きい場合、つまり、対象電圧Ｖｏｂｊが第１電圧レベルＡを有する場合、第１電圧範囲は第１選択電圧Ｖｓ１から最大電圧Ｖｆまでの範囲に決定され、第２電圧範囲は最小電圧Ｖ１から第１選択電圧Ｖｓ１までの範囲に決定される。つまり、外部ノイズが流入されるとしても第１始点ｔ１で対象電圧Ｖｏｂｊが第１選択電圧Ｖｓ１より小さくなるまでは、対象電圧Ｖｏｂｊは第１電圧範囲として判断される。以降、第１始点ｔ１で対象電圧Ｖｏｂｊが第１選択電圧Ｖｓ１より小さくなると、つまり、対象電圧Ｖｏｂｊが第２電圧レベルＡ'を有する場合、第１電圧範囲は第２選択電圧Ｖｓ２から最大電圧Ｖｓまでの範囲に変更され、第２電圧範囲は最小電圧Ｖ１から第２選択電圧Ｖｓ２までの範囲に変更される。つまり、外部ノイズが流入されるとしても第１始点ｔ１で対象電圧Ｖｏｂｊが第１選択電圧Ｖｓ１より小さくなった後は対象電圧Ｖｏｂｊが第２電圧範囲として判断される。
【００４０】
一般に、外部ノイズが流入されると入力電圧Ｖｉｎに変化が現れるため、入力電圧Ｖｉｎがスケールダウンされ生成される対象電圧Ｖｏｂｊにも変化が現れる。よって、第１電圧レベルＡを有する対象電圧Ｖｏｂｊが第１電圧範囲に判断されるべきでも、外部ノイズの影響で第２電圧範囲に判断されることができ、第２電圧レベル Ａ'を有する対象電圧Ｖｏｂｊが第２電圧範囲に判断されるべきでも、外部ノイズの影響で第１電圧範囲に判断されることができる。従って、電圧範囲判断回路１００は区画化された電圧範囲の境界に電圧範囲履歴区間ＶＲＨＰを設定することにより、外部ノイズが流入して対象電圧Ｖｏｂｊに変化が現れても、第１電圧レベルＡを有する対象電圧Ｖｏｂｊが第１電圧範囲に判断させ、第２電圧レベルＡ'を有する対象電圧Ｖｏｂｊが第２電圧範囲に判断されるようにする。ここで、電圧範囲履歴区間ＶＲＨＰは使用者が第１選択電圧Ｖｓ１と第２選択電圧Ｖｓ２の間の電圧差を変更することにより決定することができる。また、入力電圧Ｖｉｎの電圧範囲は対象電圧Ｖｏｂｊの電圧範囲に対してスケールアップをすることにより判断されることができる。 
【００４１】
図４は入力電圧が上昇する場合、図１の電圧範囲判断回路の動作を示したフローチャートである。
【００４２】
図４を参照すると、電圧範囲判断回路１００は入力電圧Ｖｉｎがスケールダウンされて生成された対象電圧Ｖｏｂｊが第２選択電圧Ｖｓ２に選択された比較電圧Ｖｃｏｍより小さい場合、対象電圧Ｖｏｂｊを第２電圧範囲として判断Ｓ１５０する。電圧範囲判断回路1００は対象電圧Ｖｏｂｊが第２選択電圧Ｖｓ２に選択された比較電圧Ｖｃｏｍより大きくなるまでは比較電圧Ｖｃｏｍを第２選択電圧Ｖｓ２に保持Ｓ１６０する。電圧範囲判断回路１００は対象電圧Ｖｏｂｊが第２選択電圧Ｖｓ２に選択された比較電圧Ｖｃｏｍより大きくなったかを判断Ｓ１７０して対象電圧Ｖｏｂｊが第２選択電圧Ｖｓ２に選択された比較電圧Ｖｃｏｍより大きくなると、比較電圧Ｖｃｏｍを第２選択電圧Ｖｓ２より低い電圧レベルを有する第１選択電圧Ｖｓ１に変更Ｓ１８０する。電圧範囲判断回路１００は 対象電圧Ｖｏｂｊが第１選択電圧Ｖｓ１に変更された比較亜電圧Ｖｃｏｍよりさらに大きくなるため、外部ノイズが流入される場合も 対象電圧Ｖｏｂｊを第１電圧範囲に判断Ｓ１９０する。このように、電圧範囲判断回路１００は入力電圧Ｖｉｎが上昇する場合、第２電圧範囲を第２選択電圧Ｖｓ２よっり小さい範囲に決定し、対象電圧Ｖｏｂｊが第２選択電圧Ｖｓ２より大きくなる始点で第２電圧範囲を第１選択電圧Ｖｓ１より小さい範囲に変更する。また、電圧範囲判断回路１００は入力電圧Ｖｉｎが上昇する場合、第１電圧範囲を第２選択電圧Ｖｓ２より大きい範囲に決定し、対象電圧Ｖｏｂｊが第２選択電圧Ｖｓ２より大きくなる始点で第１電圧範囲を第１選択電圧Ｖｓ１より大きい範囲に変更する。つまり、電圧範囲判断回路１００は入力電圧Ｖｉｎが上昇する場合、対象電圧Ｖｏｂｊが第２選択電圧Ｖｓ２より大きくなる始点で第１電圧範囲を電圧範囲履歴区間ほど広げて、第２電圧範囲を電圧範囲履歴区間ほど狭めることにより、外部ノイズが流入される場合も対象電圧Ｖｏｂｊの電圧範囲を正確に判断することができる。更に入力電圧Ｖｉｎの電圧範囲は 対象電圧Ｖｏｂｊの電圧範囲に対してスケールアップをすることにより判断されるため、電圧範囲判断回路１００は入力電圧Ｖｉｎの電圧範囲も正確に判断することができる。
【００４３】
図５は入力電圧が上昇する場合、図１の電圧範囲判断回路に係わって変更される電圧範囲を示したグラフである。
【００４４】
図５を参照すると、入力電圧Ｖｉｎがスケールダウンされて生成された対象電圧Ｖｏｂｊが第２選択電圧Ｖｓ２に選ばれた比較電圧Ｖｃｏｍより小さい場合、つまり、対象電圧Ｖｏｂｊが第１電圧レベルＢを有する場合、第１電圧範囲が第２選択電圧Ｖｓ２から最大電圧Ｖｆまでの範囲に決定され、第２電圧範囲が最小電圧Ｖ１から第２選択電圧Ｖｓ２までの範囲に決定される。つまり、外部ノイズが流入されるとしても第１始点ｔ１で対象電圧Ｖｏｂｊが第２選択電圧Ｖｓ２より大きくなるまでは対象電圧Ｖｏｂｊが第２電圧範囲として判断される。以降、第１始点ｔ１で対象電圧Ｖｏｂｊが第２選択電圧Ｖｓ２より大きくなると、つまり、対象電圧Ｖｏｂｊが第２電圧レベルＢ'を有する場合、第１電圧範囲は第１選択電圧Ｖｓ１から最大電圧Ｖｆまでの範囲に変更され、第２電圧範囲は最小電圧Ｖ１から第１選択電圧Ｖｓ１までの範囲に変更される。つまり、外部ノイズが流入されるとしても第１始点ｔ１で対象電圧Ｖｏｂｊが第２選択電圧Ｖｓ２より大きくなった後は、対象電圧Ｖｏｂｊが第１電圧範囲として判断される。
【００４５】
一般に、外部ノイズが流入されると、入力電圧Ｖｉｎに変化が現れるため、入力電圧Ｖｖｉｎがスケールダウンされて生成される対象電圧Ｖｏｂｊにも変化が現れる。よって、第１電圧レベルＢを有する対象電圧Ｖｏｂｊが第２電圧範囲に判断されるべきでも、外部ノイズの影響で第１電圧範囲として判断されることもあり、第２電圧レベルＢ'を有する対象電圧Ｖｏｂｊが第１電圧範囲に判断されるべきでも、外部ノイズの影響で第２電圧範囲として判断されることもある。従って、電圧範囲判断回路１００は区画化された電圧範囲の境界に電圧範囲履歴区間ＶＲＨＰを設定するにより、外部ノイズが流入されて対象電圧Ｖｏｂｊに変化が現れても、第１電圧レベルＢを有する対象電圧Ｖｏｂｊが第２電圧範囲に判断させるようにする。この際、電圧範囲履歴区間ＶＲＨＰは使用者が第１選択電圧Ｖｓ１と第２選択Ｖｓ２の間の電圧差を変更するにより、決定することができる。また、入力電圧Ｖｉｎの電圧範囲は対象電圧Ｖｏｂｊの電圧範囲に対してスケールアップをすることにより判断することができる。
【００４６】
図６は図１の電圧範囲判断回路を含む電圧供給回路を示したブロック図である。
【００４７】
図６を参照すると、電圧供給回路２００は電圧範囲判断回路１００、デコーディング部２２０及び増幅部２４０を含むことができる。
【００４８】
電圧範囲判断回路１００は可変する入力電圧Ｖｉｎ、つまり、バッテリーから出力される電源電圧ＶＰＷＲを入力され、対象電圧Ｖｏｂｊを生成した後、対象電圧Ｖｏｂｊの電圧範囲に相応する出力信号ＯＵＴを生成する。一実施形態において、電圧範囲判断回路１００は電源電圧ＶＰＷＲを電圧分配して対象電圧Ｖｏｂｊを生成する対象電圧生成部１２０、基準電圧Ｖｒｅｆを電圧分配して第１〜第２選択電圧Ｖｓ１、Ｖｓ２を生成する選択電圧生成部１４０、出力信号ＯＵＴに基づいて第１〜第２選択電圧Ｖｓ１、Ｖｓ２の中で１つを選び、比較電圧Ｖｃｏｍに出力する比較電圧選択部１６０及び対象電圧Ｖｏｂｊと比較電圧Ｖｃｏｍを比べて出力信号ＯＵＴを生成する出力信号生成部１８０を含むことができる。ただ、これについては上述したため、繰り返される説明は省略する。
【００４９】
デコーディング部２２０は出力信号ＯＵＴの論理状態をデコーディングして電圧利得制御信号ＣＴＬを生成する。一実施形態において、デコーディング部２２０は出力信号ＯＵＴが第１論理状態を有する場合、電圧利得を低めるための電圧利得制御信号ＣＴＬを生成することができ、出力信号ＯＵＴが第２論理状態を有する場合、電圧利得を高めるための電圧利得制御信号ＣＴＬを生成することができる。例えば、デコーディング部２２０は、電源電圧ＶＰＷＲがスケールダウンされて生成された対象電圧Ｖｏｂｊが高い電圧範囲に存在する場合、電圧範囲判断回路１００が論理ハイ状態を有する出力信号ＯＵＴを生成すると、これをデコーディングすることにより、電圧利得を低めるための電圧利得制御信号ＣＴＬを生成することができる。また、デコーディング２２０は電源電圧ＶＰＷＲがスケールダウンされて生成された対象電圧Ｖｏｂｊが低い電圧範囲に存在する場合、電圧範囲判断回路１００が論理ロー状態を有する出力信号ＯＵＴが生成すると、これをデコーディングすることにより電圧利得制御信号ＣＴＬを生成することができる。
【００５０】
増幅部２４０はデコーディング２２０から出力される電圧利得制御信号ＣＴＬに基づいて、電圧利得を変更する。一実施形態において、増幅部２４０はデコーディング部２２０から出力される電圧利得制御信号ＣＴＬに基づいて、電圧利得を変更し、変更された電圧利得で内部電圧を増幅して出力電圧ＶＯＵＴを生成することができる。実施形態に係わり、内部電圧は対象電圧Ｖｏｂｊでもありうる。増幅部２４０はデコーディング２２０から出力される電圧利得制御信号ＣＴＬに伴い係わり可変抵抗の抵抗値を変更する方式で、電圧利得を変更することができる。例えば、増幅部２４０は電源電圧ＶＰＷＲがスケールダウンされて生成された対象電圧Ｖｏｂｊが高い電圧範囲に存在する場合、電圧利得を低めるための電圧利得制御信号ＣＴＬに基づいて電圧利得を低めることができ、電源電圧ＶＰＷＲがスケールダウンされて生成された対象電圧Ｖｏｂｊが低い電圧範囲に存在する場合、電圧利得を高めるための電圧利得制御信号ＣＴＬに基づいて電圧利得を高めることができる。
【００５１】
このように、電圧供給回路２００は電源電圧ＶＰＷＲが可変する場合も電源電圧ＶＰＷＲがスケールダウンされて生成された対象電圧Ｖｏｂｊが存在する電圧範囲を正確に判断し、このような判断結果に基づいて対象電圧Ｖｏｂｊが高い電圧範囲に属すると、電圧利得を低め、低い電圧範囲に属すると、電圧利得を高める方式で定電圧(ｓｔａｂｌｅ ｖｏｌｔａｇｅ)に近い出力電圧ＶＯＵＴを生成することができる。つまり、電圧供給回路２００は実質的に電圧レギュレータ（ｖｏｌｔａｇｅ ｒｅｇｕｌａｔｏｒ）の役割をすることができるため、電子機器のディスプレイ装置から定電圧に近い出力電圧ＶＯＵＴを供給するために使うことができる。ただ、これは１つの例示として、電圧供給回路２００は電子機器の内部の多様な装置に使われることもあるだろう。
【００５２】
図７は、図６の電圧供給回路を含むディスプレイ駆動電圧生成回路を示したブロック図である。
【００５３】
図７を参照すると、ディスプレイ駆動電圧生成回路３００は電圧供給回路２００及び直流―直流変換部３２０を含むことができる。
【００５４】
電圧供給回路２００は電源電圧ＶＰＷＲが可変した場合も、電源電圧ＶＰＷＲを入力され、定電圧に近い出力電圧ＶＯＵＴを供給する。電圧供給回路２００は電源電圧ＶＰＷＲを電圧分配して対象電圧Ｖｏｂｊを生成する対象電圧生成部１２０、基準電圧Ｖｒｅｆを分配して第１〜第２選択電圧Ｖｓ１、Ｖｓ２を生成する選択電圧生成部１４０、出力信号ＯＵＴに基づいて第１〜第２選択電圧Ｖｓ１、Ｖｓ２の中で１つを選び、比較電圧Ｖｃｏｍに出力する比較電圧選択部１６０、対象電圧Ｖｏｂｊと比較電圧Ｖｃｏｍを比べて出力信号ＯＵＴを生成する出力信号生成部１８０、出力信号ＯＵＴの論理状態をデコーディングして電圧利得制御信号ＣＴＬを生成するデコーディング２２０及び電圧利得制御信号ＣＴＬに基づいて電圧利得を変更し、変更された電圧利得で内部電圧を増幅して出力電圧ＶＯＵＴを生成する増幅部２４０を含むことができる。ただ、これについては上述したため、繰り返される説明は省略する。
【００５５】
直流―直流変換部３２０は電圧供給回路２００から生成される出力電圧ＶＯＵＴに基づいてディスプレイ駆動電圧、例えば、ゲートオン電圧Ｖｏｎ、ゲートオフ電圧Ｖｏｆｆ、ソース駆動電圧Ｖｓｄ及び交通電圧Ｖｃｏｍｍを生成する。一実施形態において、直流―直流変換部３２０は出力電圧ＶＯＵＴに基づいて共通電圧Ｖｃｏｍｍを生成する第１直流―直流コンバータ３２２、出力電圧ＶＯＵＴに基づいてゲートオン電圧Ｖｏｎを生成する第２直流―直流コンバータ３２４、出力電圧ＶＯＵＴに基づいてゲートオフ電圧Ｖｏｆｆを生成する第３直流―直流コンバータ３２６及び出力電圧ＶＯＵＴに基づいてソース駆動電圧Ｖｓｄを生成する第４直流―直流コンバータ３２８を含むことができる。このように、直流―直流変換部３２０で第１〜第４直流―直流コンバータ３２２、３２４、３２６、３２８はディスプレイ装置を駆動させるためにディスプレイ駆動電圧、例えば、ゲートオン電圧Ｖｏｎ、ゲートオフ電圧Ｖｏｆｆ、ソース駆動電圧Ｖｓｄ及び共通電圧Ｖｃｏｍｍをそれぞれ生成することができる。一般に、直流―直流変換部３２０内の直流―直流コンバータ３２２、３２４、３２６、３２８が動作することができる入力直流電圧と出力直流電圧は決まっているため、入力直流電圧が決まった値を離れる場合は、直流―直流変換部３２０内の直流―直流コンバータ３２２、３２４、３２６、３２８が正常的に動かなくなったりまたは破損されることもある。従って、電圧供給回路２００はバッテリーから出力される電源電圧ＶＰＷＲが可変する場合も直流―直流変換部３２０内の直流―直流コンバータ３２２、３２４、３２６、３２８に定電圧に近い出力電圧ＶＯＵＴを供給することができる。このために、電圧供給回路２００は、電源電圧ＶＰＷＲがスケールダウンされて生成された対象電圧Ｖｏｂｊの電圧範囲に応じて電圧利得を変更し、変更された電圧利得に基づいて内部電圧を増幅して出力電圧ＶＯＵＴを生成することができる。このように、ディスプレイ駆動電圧生成回路３００はバッテリーから出力される電源電圧ＶＰＷＲが可変されても、安定的にディスプレイ駆動電圧、例えば、ゲートオン電圧Ｖｏｎ、ゲートオフ電圧Ｖｏｆｆ、ソース駆動電圧Ｖｓｄ及び共通電圧Ｖｃｏｍｍを生成することができるため、高い動作信頼性を有することができる。
【００５６】
図８は、本発明の異なる実施形態に係わる電圧範囲判断回路を示したブロック図である。
【００５７】
図８を参照すると、電圧範囲判断回路４００は対象電圧生成部４２０、選択電圧生成部４４０、比較電圧選択部４６０及び出力信号生成部４８０を含むことができる。
【００５８】
対象電圧生成部４２０は入力電圧Ｖｉｎに基づいて、対象電圧Ｖｏｂｊを生成する。一実施形態において、対象電圧生成部４２０は抵抗素子ＩＲ１、ＩＲ２を利用して入力電圧Ｖｉｎを電圧分配することによって、入力電圧Ｖｉｎがスケールダウンされた対象電圧Ｖｏｂｊを生成することができる。一般に、電子機器に入力される入力電圧Ｖｉｎ、例えば、バッテリーから出力される電源電圧は電子機器の内部で使用可能の電圧スケールに比べて高い電圧レベルを有するため、入力電圧Ｖｉｎを電子機器の内部で使うためには入力電圧Ｖｉｎを電子機器の内部で使用可能の電圧スケールにスケールダウンしなければならない。よって、対象電圧生成部４２０は入力電圧Ｖｉｎをスケールダウンして電子機器の内部で使用可能の電圧スケールの対象電圧Ｖｏｂｊを生成することができる。ただ、入力電圧Ｖｉｎが電子機器の内部で使用可能の電圧スケールの場合は、対象電圧Ｖｏｂｊは入力電圧Ｖｉｎと実質的に同様でもありうる。対象電圧生成部４２０が入力電圧Ｖｉｎを電圧分配するために使う抵抗素子ＩＲ１、ＩＲ２は可変抵抗素子でもありうる。実施形態に係わり、対象電圧生成部４２０は抵抗素子ＩＲ１、ＩＲ２の代わりにダイオードなどのような能動素子を利用して入力電圧Ｖｉｎを電圧分配することができる。
【００５９】
選択電圧生成部４４０は基準電圧Ｖｒｅｆに基づいて、第１選択電圧グループＶ１ｓ１、Ｖ１ｓ２〜第ｎ選択電圧グループＶｎｓ１、Ｖｎｓ２を生成する。一実施形態において、選択電圧生成部４４０は抵抗素子ＲＲ１、．．．、ＲＲｍ、Ｒｒ１、．．．、Ｒｒｎを利用して、基準電圧Ｖｒｅｆを電圧分配することにより第１選択電圧グループＶ１ｓ１、Ｖ１ｓ２〜第ｎ選択電圧グループＶｎｓ１、Ｖｎｓ２を生成することができる。このように、選択電圧生成部４４０は第１〜第ｎ比較電圧Ｖｃｏｍ１、．．．、Ｖｃｏｍｎそれぞれの候補の第１選択電圧グループＶ１ｓ１、Ｖ１ｓ２〜第ｎ選択電圧グループＶｎｓ１、Ｖｎｓ２を生成することができ、第１選択電圧グループＶ１ｓ１、Ｖ１ｓ２〜第ｎ選択電圧グループＶｎｓ１、Ｖｎｓ２にそれぞれ含まれた複数の選択電圧Ｖ１ｓ１、．．．、Ｖｎｓ１、Ｖ１ｓ２、．．．、Ｖｎｓ２の間の電圧差は区画化された電圧範囲の境界に設定される第１〜第ｎ電圧範囲履歴区間にそれぞれ相応することができる。つまり、選択電圧生成部４４０は第１選択電圧グループＶ１ｓ１、Ｖ１ｓ２〜第ｎ選択電圧グループＶｎｓ１、Ｖｎｓ２にそれぞれ含まれた複数の選択電圧Ｖ１ｓ１、．．．、Ｖｎｓ１、Ｖ１ｓ２、．．．、Ｖｎｓ２の間の電圧差を調節することにより前記第１〜第ｎ電圧範囲履歴区間をそれぞれ決定することができる。選択電圧生成部４４０が基準電圧Ｖｒｅｆを電圧分配して第１選択電圧グループＶ１ｓ１、Ｖ１ｓ２〜第ｎ選択電圧グループＶｎｓ１、Ｖｎｓ２を生成するために利用する抵抗素子ＲＲ１、．．．、ＲＲｍ、Ｒｒ１、．．．、Ｒｒｎは可変抵抗素子であることもあり、抵抗素子Ｒｒ１、．．．、Ｒｒｎの抵抗値を可変することにより前記第１〜第ｎ電圧範囲履歴区間をそれぞれ決定することができる。実施形態に係わり、選択電圧生成部４４０は抵抗素子ＲＲ１、．．．、ＲＲｍ、Ｒｒ１、．．．、Ｒｒｎの代わりに、ダイオードなどのような能動素子を利用して基準電圧Ｖｒｅｆを電圧分配することができる。
【００６０】
比較電圧選択部４６０は出力信号生成部４８０からフィードバックされる第１〜第ｎ出力信号ＯＵＴ１、．．．、ＯＵＴｎに基づいて、選択電圧生成部４４０から入力される第１選択電圧グループＶ１ｓ１、Ｖ１ｓ２〜第ｎ選択電圧グループＶｎｓ１、Ｖｎｓ２を構成する複数の選択電圧Ｖ１ｓ１、．．．、Ｖｎｓ１、Ｖ１ｓ２、．．．、Ｖｎｓ２の中でそれぞれ１つを選択して第１〜第ｎ比較電圧Ｖｃｏｍ１、．．．、Ｖｃｏｍｎに出力する。一実施形態において、比較電圧選択部４６０は第１論理状態の第１〜第ｎ出力信号ＯＵＴ１、．．、ＯＵＴｎに応えて、それぞれ１つの選択電圧Ｖ１ｓ１、．．．、Ｖｎｓ１を出力し、第２論理状態の第１〜第ｎ出力信号ＯＵＴ１、．．．、ＯＵＴｎに応答して異なる１つの選択電圧Ｖ１ｓ２、．．．、Ｖｎｓ２を出力する第１〜第ｎマルチプレクサＭＵＸ１、．．．、ＭＵＸｎに具現されることができる。例えば、比較電圧選択部４６０の第１〜第ｎマルチプレクサ ＭＵＸ１、．．．、ＭＵＸｎは、論理ハイ状態の第１〜第ｎ出力信号ＯＵＴ１、．．．、ＯＵＴｎに応答してそれぞれ低い電圧レベルの選択電圧Ｖ１ｓ１、．．．、Ｖｎｓ１を出力することができ、論理ロー状態の第１〜第ｎ出力信号ＯＵＴ１、．．．、ＯＵＴｎに応答してそれぞれ高い電圧レベルの選択電圧Ｖ１ｓ２、．．．、Ｖｎｓ２を出力することができる。実施形態に係わり、第１選択電圧グループＶ１ｓ１、Ｖ１ｓ２〜第ｎ選択電圧グループＶｎｓ１、Ｖｎｓ２内にそれぞれ複数の選択電圧が存在する場合、比較電圧選択部４６０は第１〜第ｎ出力信号ＯＵＴ１、．．．、ＯＵＴｎの電圧範囲に応答して第１選択電圧グループＶ１ｓ１、Ｖ１ｓ２〜第ｎ選択電圧グループＶｎｓ１、Ｖｎｓ２を構成する複数の選択電圧の中でそれぞれ１つを選択する構成で具現されることもある。
【００６１】
出力信号生成部４８０は対象電圧Ｖｏｂｊと第１〜第ｎ比較電圧Ｖｃｏｍ１、．．．、Ｖｃｏｍｎを比べることにより、それぞれの比較結果に相応する第１〜第ｎ出力信号ＯＵＴ１、．．．、ＯＵＴｎを生成する。一実施形態において、出力信号生成部４８０は対象電圧Ｖｏｂｊが第１〜第ｎ比較電圧Ｖｃｏｍ１、．．．、Ｖｃｏｍｎより大きい場合、それぞれ第１論理状態の第１〜第ｎ出力信号ＯＵＴ１、．．．、ＯＵＴｎを生成して、対象電圧Ｖｏｂｊが第１〜第ｎ比較電圧Ｖｃｏｍ１、．．．、Ｖｃｏｍｎより小さい場合、それぞれ第２論理状態の第１〜第ｎ出力信号ＯＵＴ１、．．．、ＯＵＴｎを生成する第１〜第ｎ比較機器ＣＯＭ１、．．．、ＣＯＭｎに具現されることができる。ここで、対象電圧Ｖｏｂｊの電圧範囲は出力信号生成部４８０が生成する第１〜第ｎ出力信号ＯＵＴ１、．．．、ＯＵＴｎの論理状態の組合に基づいて判断されることができる。例えば、出力信号生成部４８０が第１〜第２出力信号ＯＵＴ１、ＯＵＴ２を出力するとすれば、対象電圧Ｖｏｂｊが第１〜第２比較電圧Ｖｃｏｍ１、Ｖｃｏｍ２より大きい場合、第１〜第２出力信号ＯＵＴ１、ＯＵＴ２の論理状態の組合は「１１」になり、対象電圧Ｖｏｂｊは高い電圧範囲に存在すると判断することができる。対象電圧Ｖｏｂｊが第１比較電圧Ｖｃｏｍ１より小さく、第２比較電圧Ｖｃｏｍ２比較電圧Ｖｃｏｍ２より大きい場合、第１〜第２出力信号ＯＵＴ１、ＯＵＴ２の論理状態の組合は「０１」になり、対象電圧Ｖｏｂｊは中間電圧範囲に存在すると判断されることができる。対象電圧Ｖｏｂｊが第１〜第２比較電圧Ｖｃｏｍ１、Ｖｃｏｍ２より小さい場合、第１〜第２出力信号ＯＵＴ１、ＯＵＴ２の論理状態の組合は「００」になり、対象電圧Ｖｏｂｊは低い電圧範囲に存在するとはんだんすることができる。更に対象電圧Ｖｏｂｊは入力電圧Ｖｉｎがスケールダウンされることにより生成されるため、入力電圧Ｖｉｎの電圧範囲は対象電圧Ｖｏｂｊの電圧範囲に対してスケールアップをすることにより判断されることができる。
【００６２】
このように、電圧範囲判断回路４００は入力電圧Ｖｉｎ、例えば、バッテリーから出力される電源電圧に対して電圧範囲を区画化し、区画化された電圧範囲の境界に第１〜第ｎ電圧範囲履歴区間を設定することにより外部ノイズが流入される場合も、入力電圧Ｖｉｎの電圧範囲を正確に判断することができる。具体的に、電圧範囲判断回路４００は電子機器が動作すると伴い入力電圧Ｖｉｎが下降する場合、 対象電圧Ｖｏｂｊが１つの選択電圧Ｖ１ｓ１、．．．、Ｖｎｓ１に選択された第１〜第ｎ比較電圧Ｖｃｏｍ１、．．．、Ｖｃｏｍｎより小さくなると、第１〜第ｎ比較電圧Ｖｃｏｍ１、．．．、Ｖｃｏｍｎを１つの選択電圧Ｖ１ｓ１、．．．、Ｖｎｓ１より高い電圧レベルを有する異なる１つの選択電圧Ｖ１ｓ２、．．．、Ｖｎｓ２に変更することができる。また、電圧範囲判断回路４００はバッテリーが充電されるにつれて入力電圧Ｖｉｎが上昇する場合、 対象電圧Ｖｏｂｊが異なる１つの選択電圧Ｖ１ｓ２、．．．、Ｖｎｓ２に選択された第１〜第ｎ比較電圧Ｖｃｏｍ１、．．．、Ｖｃｏｍｎより大きくなると、第１〜第ｎ比較電圧Ｖｃｏｍ１、．．．、Ｖｃｏｍｎを異なる１つの選択電圧Ｖ１ｓ２、．．．、Ｖｎｓ２より低い電圧レベルを有する１つの選択電圧Ｖ１ｓ１、．．．、Ｖｎｓ１に変更することができる。このような電圧範囲判断回路４００の動作によって 対象電圧Ｖｏｂｊの電圧範囲は外部ノイズが流入されて対象電圧Ｖｏｂｊに変化が現れても正確に判断されることができ、入力電圧Ｖｉｎの電圧範囲も対象電圧Ｖｏｂｊの電圧範囲に対してスケールアップをすることにより正確に判断されることができる。
【００６３】
図９〜図１０は入力電圧が下降した場合、図８の電圧範囲判断回路の動作を示したフローチャートである。電圧範囲判断回路４００でｎは３と仮定する。
【００６４】
図９〜図１０を参照すると、電圧範囲判断回路４００は入力電圧Ｖｉｎがスケールダウンされて生成された対象電圧Ｖｏｂｊが第１選択電圧Ｖ１ｓ１に選択された第１比較電圧Ｖｃｏｍ１より大きい場合、対象電圧Ｖｏｂｊを第１電圧範囲として判断Ｓ４１０する。電圧範囲判断回路４００は対象電圧Ｖｏｂｊが第１選択電圧Ｖ１ｓ１に選ばれた第１比較電圧Ｖｃｏｍ１より小さくなるまでは、第１比較電圧Ｖｃｏｍ１を第１選択電圧Ｖ１ｓ１に保持Ｓ４１５する。電圧範囲判断回路４００は対象電圧Ｖｏｂｊが第１選択電圧Ｖ１ｓ１に選択された第１比較電圧Ｖｃｏｍ１より小さくなったかを判断Ｓ４２０して、対象電圧Ｖｏｂｊが第１比較選択電圧Ｖ１ｓ１に選択された第１比較電圧Ｖｃｏｍ１より小さくなれば、第１比較電圧Ｖｃｏｍ１を第１選択電圧Ｖ１ｓ１より高い電圧レベルを有する第２選択電圧Ｖ１ｓ２に変更Ｓ４２５する。電圧範囲判断回路４００は対象電圧Ｖｏｂｊが第２選択電圧Ｖ１ｓ２に変更された第１比較電圧Ｖｃｏｍ１よりさらに小さくなるため、外部ノイズが流入される場合も対象電圧Ｖｏｂｊを第２電圧範囲に判断Ｓ４３０する。また、電圧範囲判断回路４００は対象電圧Ｖｏｂｊが第３選択電圧Ｖ２ｓ１に選択された第２比較電圧Ｖｃｏｍ２より小さくなるまでは、第２比較電圧Ｖｃｏｍ２を第３選択電圧Ｖ２ｓ１に保持Ｓ４３５する。電圧範囲判断回路４００は 対象電圧Ｖｏｂｊが第３選択電圧Ｖ２ｓ１に選択された第２比較電圧Ｖｃｏｍ２より小さくなったかを判断Ｓ４４０して、対象電圧Ｖｏｂｊが第３選択電圧Ｖ２ｓ１に選択された第２比較電圧Ｖｃｏｍ２より小さくなれば、第２比較電圧Ｖｃｏｍ２を第３選択電圧Ｖ２ｓ１より高い電圧レベルを有する第４選択電圧Ｖ２ｓ２に変更Ｓ４４５する。電圧範囲判断回路４００は対象電圧Ｖｏｂｊが第４選択電圧Ｖ２ｓ２に変更された第２比較電圧Ｖｃｏｍ２よりさらに小さくなるため、外部ノイズが流入される場合も、対象電圧Ｖｏｂｊを第３電圧範囲に判断Ｓ４５０する。更に電圧範囲判断回路４００は対象電圧Ｖｏｂｊが第５選択電圧Ｖ３ｓ１に選択された第３比較電圧Ｖｃｏｍ３より小さくなるまでは、第３比較電圧Ｖｃｏｍ３を第５選択電圧Ｖ３ｓ１に保持Ｓ４５５する。電圧範囲判断回路４００は 対象電圧Ｖｏｂｊが第５選択電圧Ｖ３ｓ１に選択された第３電圧Ｖｃｏｍ３より小さくなったかを判断Ｓ４６０して、対象電圧Ｖｏｂｊが第５選択電圧Ｖ３ｓ１に選ばれた第３比較電圧Ｖｃｏｍ３より小さくなれば、第３比較電圧Ｖｃｏｍ３を第５選択電圧Ｖ３ｓ１より高い電圧レベルを有する第6選択電圧Ｖ３ｓ２に変更Ｓ４６５する。電圧範囲判断回路４００は対象電圧Ｖｏｂｊが第６選択電圧Ｖ３ｓ２に変更された第３比較電圧Ｖｃｏｍ３よりさらに小さくなるため、外部ノイズが流入される場合も、対象電圧Ｖｏｂｊを第４電圧範囲に判断Ｓ４７０する。このように、電圧範囲判断回路４００は区画化された電圧範囲の境界に第１〜第３電圧範囲履歴区間を設定することによって、入力電圧Ｖｉｎが下降する場合、外部ノイズが流入されるとしても対象電圧Ｖｏｂｊの電圧範囲を正確に判断することができる。更に入力電圧Ｖｉｎの電圧範囲は 対象電圧Ｖｏｂｊの電圧範囲に対してスケールアップをすることによって判断さ��るため、電圧範囲判断回路４００は入力電圧Ｖｉｎの電圧範囲も正確に判断することができる。
【００６５】
図１１は、入力電圧が下降する場合、図８の電圧範囲判断回路の動作をした第１グラフである。電圧範囲判断回路４００で、ｎは３と仮定する。
【００６６】
図１１を参照すると、入力電圧Ｖｉｎがスケールダウンされて生成された対象電圧Ｖｏｂｊが第１選択電圧Ｖ１ｓ１に選択された第１比較電圧Ｖｃｏｍ１より大きい場合、つまり、対象電圧Ｖｏｂｊが第１電圧レベルＡを有する場合、第１電圧範囲は第１選択電圧Ｖ１ｓ１から最大電圧Ｖｆまでの範囲に決定され、第２電圧範囲は第３選択電圧Ｖ２ｓ１から第１選択電圧Ｖ１ｓ１までの範囲に決定される。つまり、第１始点ｔ１で対象電圧Ｖｏｂｊが第１選択電圧Ｖ１ｓ１より小さくなるまでは、対象電圧Ｖｏｂｊは第１電圧範囲をして判断される。以降、第１始点ｔ１で対象電圧Ｖｏｂｊが第１選択電圧Ｖ１ｓ１より小さくなると、つまり、対象電圧Ｖｏｂｊが第２電圧レベルＡ'を有する場合、第１電圧範囲は第２選択電圧Ｖ１ｓ２から最大電圧Ｖｆまでの範囲に変更され、第２電圧範囲は第３選択電圧Ｖ２ｓ１から第２選択電圧Ｖ１ｓ２までの範囲に変更される。このように、外部ノイズが流入されたとしても第１始点ｔ１で 対象電圧Ｖｏｂｊが第１選択電圧Ｖ１ｓ１より小さくなった後は、対象電圧Ｖｏｂｊは第２電圧範囲に判断される。また、入力電圧Ｖｉｎの電圧範囲は対象電圧Ｖｏｂｊの電圧範囲に対してスケールアップをすることにより判断される。
【００６７】
図１２は入力電圧が下降する場合、図８の電圧範囲判断回路の動作を示した第２グラフである。電圧範囲判断回路４００でｎは３と仮定する。
【００６８】
図１２を参照すると、入力電圧Ｖｉｎがスケールダウンされて生成された対象電圧Ｖｏｂｊが第３選択電圧Ｖ２ｓ１に選択された第２比較電圧Ｖｃｏｍ２より大きい場合、つまり、対象電圧Ｖｏｂｊが第２電圧レベルＡ'を有する場合、第２電圧範囲は第３選択電圧Ｖ２ｓ１から第２選択電圧Ｖ１ｓ２までの範囲に決められ、第３電圧範囲は第５選択電圧Ｖ３ｓ１から第３選択電圧Ｖ２ｓ１までの範囲に決められる。つまり、第２始点ｔ２で、対象電圧Ｖｏｂｊが第３選択電圧Ｖ２ｓ１より小さくなるまでは、対象電圧Ｖｏｂｊは第２電圧範囲として判断される。以降、第２始点ｔ２で対象電圧Ｖｏｂｊが第３選択電圧Ｖ２ｓ１より小さくなると、つまり、対象電圧Ｖｏｂｊが第３電圧レベル(Ａ'')を有する場合、第２電圧範囲は第４選択電圧Ｖ２ｓ２から第２選択電圧Ｖ１ｓ２までの範囲に変更され、第３電圧範囲は第５選択電圧Ｖ３ｓ１から第４選択電圧Ｖ２ｓ２までの範囲に変更される。このように、外部ノイズが流入されるとしても第２始点ｔ２で対象電圧Ｖｏｂｊが第３選択電圧Ｖ２ｓ１より小さくなった後は、対象電圧Ｖｏｂｊは第３電圧範囲として判断される。また、入力電圧Ｖｉｎの電圧範囲は 対象電圧Ｖｏｂｊの電圧範囲に対してスケールアップをすることによって判断される。
【００６９】
図１３は入力電圧が下降する場合、図８の電圧範囲判断回路の動作を示した第３グラフである。電圧範囲判断回路４００でｎは３と仮定する。
【００７０】
図１３を参照すると、入力電圧Ｖｉｎがスケールダウンされて生成された対象電圧Ｖｏｂｊが第５選択電圧Ｖ３ｓ１に選ばれた第３比較電圧Ｖｃｏｍ３より大きい場合、つまり、対象電圧Ｖｏｂｊが第２電圧レベルを有する(Ａ'')場合、第３電圧範囲は第５選択電圧Ｖ３ｓ１から第４選択電圧Ｖ２ｓ２までの範囲に決定され、第４電圧範囲は最小電圧Ｖ１から第５選択電圧Ｖ３ｓ１までの範囲に決定される。つまり、第３始点ｔ３で対象電圧Ｖｏｂｊが第５選択電圧Ｖ３ｓ１より小さくなるまでは、対象電圧Ｖｏｂｊは第３電圧範囲に判断される。以降、第３始点ｔ３で対象電圧Ｖｏｂｊが第５選択電圧Ｖ３ｓ１より小さくなると、つまり、対象電圧Ｖｏｂｊが第４電圧レベル(Ａ''')を有する場合、第３電圧範囲は第６選択電圧Ｖ３ｓ２から第４選択電圧Ｖ２ｓ２までの範囲に変更され、第４電圧範囲は最小電圧Ｖ１から第６選択電圧Ｖ３ｓ２までの範囲に変更される。このように、外部ノイズが流入されるとしても第３始点ｔ３で、対象電圧Ｖｏｂｊが第５選択電圧Ｖ３ｓ１より小さくなった後は、対象電圧Ｖｏｂｊは第４電圧範囲として判断される。また、入力電圧Ｖｉｎの電圧範囲は 対象電圧Ｖｏｂｊの電圧範囲に対してスケールアップをすることによって判断される。
【００７１】
図１４は、入力電圧が下降する場合、図８の電圧範囲判断回路によって変更される電圧範囲を示したグラフである。電圧範囲判断回路４００でｎは３に仮定する。
【００７２】
図１４を参照すると、図１４は入力電圧Ｖｉｎが下降する場合、例えば、電子機器が動くに伴いバッテリーから出力される電源電圧が下降する場合、電圧範囲判断回路４００によって変更された電圧範囲を示す。電圧範囲判断回路４００は第１電圧範囲履歴区間ＶＲＨＰ１を第１電圧範囲と第２電圧範囲の境界に設定することによって、外部のノイズが流入されて対象電圧Ｖｏｂｊに変化が現れても第１電圧範囲と第２電圧範囲の間で対象電圧Ｖｏｂｊの電圧範囲を正確に判断することができる。電圧範囲判断回路４００は第２電圧範囲履歴区間ＶＲＨＰ２を第２電圧範囲と第３電圧範囲の境界に設定することによって、外部からノイズが流入されて対象電圧Ｖｏｂｊに変化が現れるとしても第２電圧範囲と第３電圧範囲の間で対象電圧Ｖｏｂｊの電圧範囲を正確に判断することができる。電圧判断回路４００は第３電圧範囲履歴区間ＶＲＨＰ３を第３電圧範囲と第４電圧範囲の境界に設定することによって、外部からノイズが流入されて対象電圧Ｖｏｂｊに変化が現れるとしても第３電圧範囲と第４電圧範囲の間で 対象電圧Ｖｏｂｊの電圧範囲を正確に判断することができる。上述のように、第１電圧範囲履歴区間ＶＲＨＰ１は外部から流入されるノイズの大きさを考慮して、使用者が第１選択電圧Ｖ１ｓ１と第２選択電圧Ｖ１ｓ２の間の電圧差を変更することによって決定することができ、第２電圧範囲履歴区間ＶＲＨＰ２は外部で流入されるノイズの大きさを考慮して、使用者が第３選択電圧Ｖ２ｓ１と第４選択電圧Ｖ２ｓ２の間の電圧差を変更することによって決定されることができ、第３電圧範囲履歴区間ＶＲＨＰ３は外部から流入されるノイズの大きさを考慮して、使用者が第５選択電圧Ｖ３ｓ１と第６選択電圧Ｖ３ｓ２の間の電圧差を変更することによって決定されることもある。
【００７３】
図１５〜図１６は入力電圧が上昇する場合、図８の電圧範囲判断回路の動作を示したフローチャートである。電圧範囲判断回路４００でｎは３に仮定する。
【００７４】
図１５〜図１６を参照すると、電圧範囲判断回路４００は入力電圧Ｖｉｎがスケールダウンされて生成された対象電圧Ｖｏｂｊが第６選択電圧Ｖ３ｓ２に選択された第３比較電圧Ｖｃｏｍ３より小さい場合、対象電圧Ｖｏｂｊを第４電圧範囲に判断Ｓ５１０する。電圧範囲判断回路４００は、対象電圧Ｖｏｂｊが第６選択電圧Ｖ３ｓ２に選択された第３比較電圧Ｖｃｏｍ３より大きくなるまでは、第３比較電圧Ｖｃｏｍ３を第６選択電圧Ｖ３ｓ２に保持Ｓ５１５する。電圧範囲判断回路４００は 対象電圧Ｖｏｂｊが第６選択電圧Ｖ３ｓ２に選ばれた第３比較電圧Ｖｃｏｍ３より大きくなったかを判断Ｓ５２０して、対象電圧Ｖｏｂｊが第６選択電圧Ｖ３ｓ２に 選択された第３比較電圧Ｖｃｏｍ３より大きくなれば、第３比較電圧Ｖｃｏｍ３を第６選択電圧Ｖ３ｓ２より低い電圧レベルを有する第５選択電圧Ｖ3ｓ１に変更Ｓ５２５する。電圧範囲判断回路４００は、対象電圧Ｖｏｂｊが第５選択電圧が第５選択電圧Ｖ３ｓ１に変更された第３比較電圧Ｖｃｏｍ３よりさらに大きくなるため、外部ノイズが流入される場合も対象電圧Ｖｏｂｊを第３電圧範囲として判断Ｓ５３０する。また、電圧範囲判断回路４００は、対象電圧Ｖｏｂｊが第４選択電圧Ｖ２ｓ２に選択された第２比較電圧Ｖｃｏｍ２より大きくなるまでは第２比較電圧Ｖｃｏｍ２を第４選択電圧Ｖ２ｓ２に保持Ｓ５３５する。電圧範囲判断回路４００は 対象電圧Ｖｏｂｊが第４選択電圧Ｖ２ｓ２に選択された第２比較電圧Ｖｃｏｍ２より大きくなったかを判断Ｓ５４０して、対象電圧Ｖｏｂｊが第４選択電圧Ｖ２ｓ２に選択された第２比較電圧Ｖｃｏｍ２より大きくなると、第２比較電圧Ｖｃｏｍ２を第４選択電圧Ｖ２ｓ２より低い電圧レベルを有する第３選択電圧Ｖ２ｓ１に変更Ｓ５４５。電圧範囲判断回路４００は対象電圧Ｖｏｂｊが第３選択電圧Ｖ２ｓ１に変更された第２比較電圧Ｖｃｏｍ２よりさらに大きくなるため、外部ノイズが流入される場合も、対象電圧Ｖｏｂｊを第２電圧範囲に判断Ｓ５５０する。更に電圧範囲判断回路４００は 対象電圧Ｖｏｂｊが第２選択電圧Ｖ１ｓ２に選択された第１比較電圧Ｖｃｏｍ１より大きくなるまでは第１比較電圧Ｖｃｏｍ１を第２選択電圧Ｖ１ｓ２に保持Ｓ５５５する。電圧範囲判断回路４００は対象電圧Ｖｏｂｊが第２選択電圧Ｖ１ｓ２に選択された第１比較電圧Ｖｃｏｍ１より大きくなったかを判断Ｓ５６０して、対象電圧Ｖｏｂｊが第２選択電圧Ｖ１ｓ２に選択された第１比較電圧Ｖｃｏｍ１より大きくなると、第１比較電圧Ｖｃｏｍ１を第２選択電圧Ｖ１ｓ２より低い電圧レベルを有する第１選択電圧Ｖ１ｓ１に変更Ｓ５６５する。電圧範囲判断回路４００は対象電圧Ｖｏｂｊが第１選択電圧Ｖ１ｓ１に変更された第１比較電圧Ｖｃｏｍ１よりさらに大きくなるため、外部ノイズが流入される場合も対象電圧Ｖｏｂｊを第１電圧範囲として判断Ｓ５７０する。このように、電圧範囲判断回路４００は区画化された電圧範囲の境界に第１〜第３電圧範囲履歴区間を設定することによって、入力電圧Ｖｉｎが上昇する場合、外部ノイズが流入されるとしても対象電圧Ｖｏｂｊの電圧範囲を正確に判断することができる。更に入力電圧Ｖｉｎの電圧範囲は対象電圧Ｖｏｂｊの電圧範囲に対してスケールアップをする���とにより判断されるため、電圧範囲判断回路４００は入力電圧Ｖｉｎの電圧範囲も正確に判断することができる。
【００７５】
図１７は、入力電圧が上昇する場合、図８の電圧範囲判断回路の動作を示した第１グラフである。電圧範囲判断回路４００でｎは３と仮定する。
【００７６】
図１７を参照すると、入力電圧Ｖｉｎがスケールダウンされて生成された対象電圧Ｖｏｂｊが第６選択電圧Ｖ３ｓ２に選ばれた第３比較電圧Ｖｃｏｍ３より小さい場合、つまり、対象電圧Ｖｏｂｊが第１電圧レベルＢを有する場合、第４電圧範囲は最小電圧Ｖ１から第６選択電圧Ｖ３ｓ２までの範囲に決定され、第３電圧範囲は第６選択電圧Ｖ３ｓ２から第４選択電圧Ｖ２ｓ２までの範囲に決定される。つまり、第１始点ｔ１で対象電圧Ｖｏｂｊが第６選択電圧Ｖ３ｓ２より大きくなるまでは、対象電圧Ｖｏｂｊは第４電圧範囲として判断される。以降、第１始点ｔ１で対象電圧Ｖｏｂｊが第６選択電圧Ｖ３ｓ２より大きくなると、つまり、対象電圧Ｖｏｂｊが第２電圧レベルＢ'を有する場合、第４電圧範囲は最小電圧Ｖ１から第５選択電圧Ｖ３ｓ１までの範囲に変更され、第３電圧範囲は第５選択電圧Ｖ３ｓ１から第４選択電圧Ｖ２ｓ２までの範囲に変更される。このように、外部ノイズが流入されるとしても第１始点ｔ１で対象電圧Ｖｏｂｊが第６選択電圧Ｖ３ｓ２より大きくなった後は、対象電圧Ｖｏｂｊは第３電圧範囲として判断される。また、入力電圧Ｖｉｎの電圧範囲は対象電圧Ｖｏｂｊの電圧範囲に対してスケールアップをすることにより判断される。
【００７７】
図１８は、入力電圧が上昇する場合、図８の電圧範囲判断回路の動作を示した第２グラフである。電圧範囲判断回路４００でｎは３と仮定する。
【００７８】
図１８を参照すると、入力電圧Ｖｉｎがスケールダウンされて生成された対象電圧Ｖｏｂｊが第４選択電圧Ｖ２ｓに選択された第２比較電圧Ｖｃｏｍ２より小さい場合、つまり、対象電圧Ｖｏｂｊが第２電圧レベルＢ'を有する場合、第３電圧範囲は第５選択電圧Ｖ３ｓ１から第４選択電圧Ｖ２ｓ２までの範囲に決定され、第２電圧範囲は第４選択電圧Ｖ２ｓ２から第２選択電圧Ｖ１ｓ２までの範囲に決定される。つまり、第２始点ｔ２で対象電圧Ｖｏｂｊが第４選択電圧Ｖ２ｓ２より大きくなるまでは、対象電圧Ｖｏｂｊは第３電圧範囲に判断される。以降、第２始点ｔ２で 対象電圧Ｖｏｂｊが第４選択電圧Ｖ２ｓ２より大きくなると、つまり、対象電圧Ｖｏｂｊが第３電圧レベルＢ''を有する場合、第３電圧範囲は第５選択電圧Ｖ３ｓ１から第３選択電圧Ｖ２ｓ１までの範囲に変更され、第２電圧範囲は第３選択電圧Ｖ２ｓ１から第２選択電圧Ｖ１ｓ２までの範囲に変更される。このように、外部ノイズが流入されるとしても第２始点ｔ２で対象電圧Ｖｏｂｊが第４選択電圧Ｖ２ｓ２より大きくなった後は、対象電圧Ｖｏｂｊが第２電圧範囲として判断される。また、入力電圧Ｖｉｎの電圧範囲は対象電圧Ｖｏｂｊの電圧範囲に対してスケールアップをすることによって判断される。
【００７９】
図１９は、入力電圧が上昇する場合、図８の電圧範囲判断回路の動作を示した第３グラフである。電圧範囲判断回路４００でｎは３に仮定する。
【００８０】
図１９を参照すると、入力電圧Ｖｉｎがスケールダウンされて生成された対象電圧Ｖｏｂｊが第２選択電圧Ｖ１ｓ２に選択された第１比較電圧Ｖｃｏｍ１より小さい場合、つまり、対象電圧Ｖｏｂｊが第３電圧レベルＢ''を有する場合、第２電圧範囲は第３選択電圧Ｖ２ｓ１から第２選択電圧Ｖ１ｓ２までの範囲に決定され、第１電圧範囲は第２選択電圧Ｖ１ｓ２から最大電圧Ｖｆまでの範囲に決められる。つまり、第３始点ｔ３で対象電圧Ｖｏｂｊが第２選択電圧Ｖ１ｓ２より大きくなるまでは、対象電圧Ｖｏｂｊは第２電圧範囲として判断される。以降、第３始点ｔ３で対象電圧Ｖｏｂｊが第２選択電圧Ｖ１ｓ２より大きくなると、つまり、対象電圧Ｖｏｂｊが第４電圧レベルＢ'''を有する場合、第２電圧範囲は第３選択電圧Ｖ２ｓ１から第１選択電圧Ｖ１ｓ１までの範囲に変更され、第１電圧範囲は第１選択電圧Ｖ１ｓ１から最大電圧Ｖｆまでの範囲に変更される。このように、外部ノイズが流入されるとしても第３始点ｔ３で 対象電圧Ｖｏｂｊが第１選択電圧Ｖ１ｓ１より大きくなった後は、対象電圧Ｖｏｂｊが第１電圧範囲に判断される。また、入力電圧Ｖｉｎの電圧範囲は 対象電圧Ｖｏｂｊの電圧範囲に対してスケールアップをすることにより判断される。
【００８１】
図２０は、入力電圧が上昇する場合、図８の電圧範囲判断回路によって、変更される電圧範囲を示したグラフである。電圧範囲判断回路４００でｎは３に仮定する。
【００８２】
図２０を参照すると、図２０は入力電圧Ｖｉｎが上昇する場合、例えば、バッテリーが充電されるに伴いバッテリーから出力される電源電圧が上昇する場合、電圧範囲判断回路４００によって、変更される電圧範囲を示す。電圧範囲判断回路４００は第１電圧範囲履歴区間ＶＲＨＰ１を第１電圧範囲と第２電圧範囲の境界に設定することにより、外部からノイズが流入して対象電圧Ｖｏｂｊに変化が現れるとしても第１電圧範囲と第２電圧範囲の間で対象電圧Ｖｏｂｊの電圧範囲を正確に判断することができる。電圧範囲判断回路４００は第２電圧範囲履歴区間ＶＲＨＰ２を第２電圧範囲と第３電圧範囲の境界に設定することにより、外部からノイズが流入されて対象電圧Ｖｏｂｊに変化が現れるとしても第２電圧範囲と第３電圧範囲の間で対象電圧Ｖｏｂｊの電圧範囲を正確に判断することができる。電圧範囲判断回路４００は第３電圧範囲履歴区間ＶＲＨＰ３を第３電圧範囲と第４電圧範囲の境界に設定することにより、外部からノイズが流入されて対象電圧Ｖｏｂｊに変化が現れるとしても第３電圧範囲と第４電圧範囲の間で対象電圧Ｖｏｂｊの電圧範囲を正確に判断することができる。上述のように、 第１電圧範囲履歴区間ＶＲＨＰ１は外部から流入されるノイズの大きさを考慮して、使用者が第１選択電圧Ｖ１ｓ１と第２選択電圧Ｖ１ｓ２の間の電圧差を変更することにより決定されることができ、第２電圧範囲履歴区間ＶＲＨＰ２は外部から流入されるノイズの大きさを考慮して、使用者が第３選択電圧Ｖ２ｓ１と第４選択電圧Ｖ２ｓ２の間の電圧差を変更することにより決定されることもあり、第３電圧範囲履歴区間ＶＲＨＰ３は外部から流入されるノイズの大きさを考慮して、使用者が第５選択電圧Ｖ３ｓ１と第６選択電圧Ｖ３ｓ２の間の電圧差を変更することにより決定されることができる。
【００８３】
図２１は、図８の電圧範囲判断回路を含む電圧供給回路を示したブロック図である。
【００８４】
図２１を参照すると、電圧供給回路５００は電圧範囲判断回路４００、ディコード部５２０及び増幅部５４０を含むことができる。
【００８５】
電圧範囲判断回路４００は可変する入力電圧Ｖｉｎ、つまり、バッテリーから出力される電源電圧ＶＰＷＲを入力され対象電圧Ｖｏｂｊを生成した後、対象電圧Ｖｏｂｊの電圧範囲に相応する第１〜第ｎ出力信号（ＯＵＴ、．．．、ＯＵＴｎ）を生成する。一実施形態において、電圧範囲判断回路４００は入力電圧Ｖｉｎを電圧分配して、入力電圧Ｖｉｎがスケールダウンされた対象電圧Ｖｏｂｊを生成する対象電圧生成部４２０、基準電圧Ｖｒｅｆを電圧分配して、第１選択電圧グループＶ１ｓ１、Ｖ１ｓ２〜第ｎ選択電圧グループＶｎｓ１、Ｖｎｓ２を生成する選択電圧生成部４４０、第１〜第ｎ出力信号（ＯＵＴ１、．．．、ＯＵＴｎ）に基づいて、第１選択電圧グループＶ１ｓ１、Ｖ１ｓ２〜第ｎ選択電圧グループＶｎｓ１、Ｖｎｓ２内からそれぞれの選択電圧を選択して、第１〜第ｎ比較電圧（Ｖｃｏｍ１、．．．、Ｖｃｏｍｎ）に出力する比較電圧選択部４６０及び対象電圧Ｖｏｂｊと第１〜第ｎ比較電圧（Ｖｃｏｍ１、．．．、Ｖｃｏｍｎ）を比べて、第１〜第ｎ出力信号（ＯＵＴ１、．．．、ＯＵＴｎ）を生成する出力信号生成部４８０を含むことができる。ただ、これについては上述したため、繰り返される説明は省略する。
【００８６】
ディコード部５２０は、第１〜第ｎ出力信号（ＯＵＴ１、．．．、ＯＵＴｎ）の論理状態組合をディコードして、電圧利得制御信号ＣＴＬを生成する。一実施形態において、ディコード部５２０は第１〜第ｎ出力信号（ＯＵＴ１、．．．、ＯＵＴｎ）の論理状態組合にそれぞれ電圧利得を電圧をマッチングさせることによって、該当する電圧利得制御信号ＣＴＬを出力することができる。増幅部５４０はディコード部５２０から出力される電圧利得制御信号ＣＴＬに基づいて電圧利得を変更する。一実施形態において、増幅部５４０はディコード部５２０から出力される電圧利得制御信号ＣＴＬに基づいて電圧利得を変更し、変更された電圧利得で内部電圧を増幅して出力電圧ＶＯＵＴを生成することができる。実施形態に係わり、内部電圧は対象電圧Ｖｏｂｊでもありうる。増幅部５４０はディコード部５２０から出力される電圧利得制御信号ＣＴＬによって、可変抵抗の抵抗値を変更する方式で電圧利得を変更することができる。
【００８７】
このように、電圧供給回路５００は電源電圧ＶＰＷＲが可変する場合も、電源電圧ＶＰＷＲがスケールダウンされて生成された対象電圧Ｖｏｂｊが存在する電圧範囲を正確に判断し、このような判断結果に基づいて、電圧利得を制御する方式で定電圧に近い出力電圧ＶＯＵＴを生成することができる。つまり、電圧供給回路５００は実質的に電圧レギュレータの役割をすることができるため、電子機器のディスプレイ装置から定電圧に近い出力電圧ＶＯＵＴを供給するために使用することができる。ただ、これは１つの例示として、電圧供給回路５００は電子機器内部の多様な装置に使用されることができる。
【００８８】
図２２は、図２１の電圧供給回路を含むディスプレイ駆動電圧生成回路を示したブロック図である。
【００８９】
図２２を参照すると、ディスプレイ駆動電圧生成回路６００は電圧供給回路５００及び直流―直流変換部６２０を含むことができる。
【００９０】
電圧供給回路５００は電源電圧ＶＰＷＲが可変する場合も電源電圧ＶＰＷＲを入力され定電圧に近い出力電圧ＶＯＵＴを供給する。電圧供給回路５００は電源電圧ＶＰＷＲを電圧分配して対象電圧Ｖｏｂｊを生成する対象電圧生成部４２０、基準電圧Ｖｒｅｆを電圧分配して第１選択電圧グループＶ１ｓ１、Ｖ１ｓ２〜第ｎ選択電圧グループＶｎｓ１、Ｖｎｓ２を生成する選択電圧生成部４４０、第１〜第ｎ出力信号（ＯＵＴ１、．．．、ＯＵＴｎ）に基づいて第１選択電圧グループＶ１ｓ１、Ｖ１ｓ２〜第ｎ選択電圧グループＶｎｓ１、Ｖｎｓ２内でそれぞれ１つの選択電圧を選択して第１〜第ｎ比較電圧（Ｖｃｏｍ１、．．．、Ｖｃｏｍｎ）に出力する比較電圧選択部４６０、対象電圧Ｖｏｂｊと第１〜第ｎ比較電圧（Ｖｃｏｍ１、．．．、Ｖｃｏｍｎ）をそれぞれ比べて、第１〜第ｎ出力信号（ＯＵＴ１、．．．、ＯＵＴｎ）を生成する出力信号正西部４８０、第１〜第ｎ出力信号（ＯＵＴ１、．．．、ＯＵＴｎ）の論理状態組合をディコードして、電圧利得制御信号ＣＴＬを生成するディコード部５２０及び電圧利得制御信号ＣＴＬに基づいて電圧利得を変更し、変更された電圧利得で内部電圧を増幅して出力電圧ＶＯＵＴを生成する増幅部５４０を含むことができる。ただ、これについては上述したため、繰り返される説明は省略する。
【００９１】
直流−直流変換部６２０は電圧供給回路５００から生成される出力電圧ＶＯＵＴに基づいてディスプレイ駆動電圧、例えば、ゲートオン電圧Ｖｏｎ、ゲートオフ電圧Ｖｏｆｆ、ソース駆動電圧Ｖｓｄ及び共通電圧Ｖｃｏｍｍを生成する。一実施形態において、直流‐直流変換部６２０は出力電圧ＶＯＵＴに基づいて共通電圧Ｖｃｏｍｍを生成する第１直流‐直流コンバータ６２２、出力電圧ＶＯＵＴに基づいてゲートオン電圧Ｖｏｎを生成する第２直流―直流コンバータ６２４、出力電圧ＶＯＵＴに基づいてゲートオフ電圧Ｖｏｆｆを生成する第３直流‐直流コンバータ６２６及び出力電圧ＶＯＵＴに基づいて、ソース駆動電圧Ｖｓｄを生成する第４直流‐直流コンバータ６２８を含むことができる。このように、直流‐直流変換部６２０で第１〜第４直流‐直流コンバータ６２２、６２４、６２６、６２８はディスプレイ装置を駆動させるために、ディスプレイ駆動電圧、例えば、ゲートオン電圧Ｖｏｎ、ゲートオフ電圧Ｖｏｆｆ、ソース駆動電圧Ｖｓｄ及び共通電圧Ｖｃｏｍｍをそれぞれ生成することができる。一実施形態において、第１〜第４直流‐直流コンバータ６２２、６２４、６２６、６２８はそれぞれ変圧器、変圧器の１次側に位置して、直流電圧を交流電圧に変換するパワーモジュール及び変圧器の２次側に位置して変圧された交流電圧を直流電圧に整流する整流部を含むことができる。
【００９２】
一般的に、直流‐直流変換部６２０内の直流‐直流コンバータ６２２、６２４、６２６、６２８が動作することができる入力直流電圧と出力直流電圧は決定されているため、入力直流電圧が決まった値を離れる場合は、直流‐直流変換部６２０内の直流‐直流コンバータ６２２、６２４、６２６、６２８が正常的に動かなかったり、または破損されることもある。従って、電圧供給回路５００はバッテリーから出力される電源電圧ＶＰＷＲが可変する場合も、直流‐直流変換部６２０内の直流‐直流コンバータ６２２、６２４、６２６、６２８に定電圧に近い出力電圧ＶＯＵＴを供給することができる。このために、電圧供給回路５００は、電源電圧ＶＰＷＲがスケールダウンされて生成された対象電圧Ｖｏｂｊの電圧範囲によって電圧利得を変更し、変更された電圧利得に基づいて内部電圧を増幅して出力電圧ＶＯＵＴを生成することができる。このように、ディスプレイ駆動電圧生成回路６００はバッテリーから出力される電源電圧ＶＰＷＲが可変されるとしても安定的にディスプイ駆動電圧、例えば、ゲートオン電圧Ｖｏｎ、ゲートオフ電圧Ｖｏｆｆ、ソース駆動電圧Ｖｓｄ及び共通電圧Ｖｃｏｍｍを生成することができるため、高い動作信頼性を有することができる。
【００９３】
図２３は、本発明の実施形態に係わるディスプレイ駆動電圧生成回路を含むディスプレイ装置の一例を示したブロック図である。
【００９４】
図２３を参照すると、ディスプレイ装置７００は液晶パネル７１０、タイミングコントローラ７２０、ゲートドライバー７３０、ソースドライバー７４０、階調電圧ジェネレーター７５０及びディスプレイ駆動電圧生成回路７６０を含むことができる。
【００９５】
液晶パネル７１０はゲートライン（ＧＬ１、．．．、ＧＬｎ）とデータライン（ＤＬ１、．．．、ＤＬｍ）の交差で定義される領域別に形成されたピクセルで構成されたピクセルマトリックスを含む。ピクセルは階調電圧ＧＶに伴い光透過量を調節する液晶セルＣ１ｃ及び液晶セルＣ１ｃを駆動するための薄膜トランジスタＴＦＴを含む。一実施形態において、薄膜トランジスタＴＦＴはゲートライン（ＧＬ１、．．．、ＧＬｎ）から供給されるゲートオン電圧Ｖｏｎに基づいてターンオンされることによりデータライン（ＤＬ１、．．．、ＤＬｍ）から供給される階調電圧ＧＶを液晶セルＣ１ｃに供給することができる。また、薄膜トランジスタＴＦＴはゲートライン（ＧＬ１、．．．、ＧＬｎ）から供給されるゲートオフ電圧Ｖｏｆｆに基づいてターンオフされることにより、液晶セルＣ１ｃに充電された階調電圧ＧＶを保持することができる。また、液晶セルＣ１ｃは液晶セルＣ１ｃのピクセル電極に印加される階調電圧ＧＶを１つのフレームの間一定に保持するためのストレージキャパシタ（図示せず）を含むことができる。タイミングコントローラ７２０はゲートドライバ７３０を制御するためのゲート制御信号ＧＣＳ及びソースドライバ７４０を制御するためのデータ制御信号ＤＣＳを生成し、これらをそれぞれゲートドライバ７３０及びソースドライバ７４０に供給する。また、タイミングコントローラ７２０は映像信号Ｒ、Ｇ、Ｂを生成し、これをソースドライバ７４０に供給する。一実施形態において、ゲート制御信号ＧＣＳは、垂直同期開始信号、ゲートクロック信号、出力イネーブル信号などを含むことができ、データ制御信号ＤＣＳは水平同期開始信号、ロード信号、反転信号及びデータクラック信号などを含むことができる。ゲートドライバ７３０はタイミングコントローラ７２０から供給されるゲータ制御信号ＧＣＳに基づいて、ディスプレイ駆動電圧生成回路７６０から出力されるゲートオン電圧Ｖｏｎ及びゲートオフ電圧Ｖｏｆｆをゲートライン（ＧＬ１、．．．、ＧＬｎ）に順次に供給する。ソースドライバ７４０はタイミングコントローラ７２０から供給されるデータ制御信号ＤＣＳに基づいて映像信号Ｒ、Ｇ、Ｂをタイミングコントローラ７２０から順次に供給される。以降、ソースドライバ７４０は、階調電圧ジェネレータ７５０から階調電圧ＧＶの中で映像信号Ｒ、Ｇ、Ｂに対応する階調電圧ＧＶを選び、データライン（ＤＬ１、．．．、ＤＬｍ）に供給する。階調電圧ジェネレータ７５０はディスプレイ駆動電圧生成回路７６０から出力されるソース駆動電圧Ｖｓｄに基づいて階調電圧ＧＶを生成することができる。一実施形態において、階調電圧ジェネレータ７５０は共通電圧Ｖｃｏｍｍに対して正数値を有する階調電圧と負数値を有する階調電圧ＧＶを生成することができる。よって、ディスプレイ装置７００は液晶パネル７１０を駆動することによって、ディスプレイの配列方向が所定の周期によって変わるように、正数値を有する階調電圧ＧＶと負数値を有する階調電圧ＧＶを交替に印加することにより液晶パネルの劣化を防止することができる。ディスプレイ駆動電圧生成回路７６０はバッテリーから出力される電源電圧ＶＰＷＲが可変されるとしても安定的にディスプレイ駆動電圧、例えば、ゲートオン電圧Ｖｏｎ、ゲートオフ電圧Ｖｏｆｆ、ソース駆動電圧Ｖｓｄ及び共通電圧Ｖｃｏｍｍを生成して供給する。一実施形態において、ディスプレイ駆動電圧生成回路７６０は対象電圧生成部、選択電圧生成部、比較電圧選択部、出力信号生成部、デコード部、増幅部及び直流‐直流変換部を含むことができ、ただ、これについては上述したため、繰り返される説明は省略する。
【００９６】
以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【産業上の利用可能性】
【００９７】
本発明は、可変する入力電圧、例えば、バッテリーから出力される電源電圧を印加される電気機器に多様に適用されることができる。例えば、本発明はコンピューター、ノートブック、デジタルカメラ、ビデオカムコーダ、携帯電話、スマートフォン、ピーエムピー（ＰＭＰ）、携帯情報端末（ＰＤＡ）、ＭＰ３プレイヤー、車両用ナビゲーションなどに適用されることができる。
【００９８】
前記本発明の望ましい実施形態を参照して説明したが、該当技術分野で通常の知識を持った者であるなら、下記の特許請求範囲に記載された本発明の思想及び領域から外れない範囲内で本発明を多様に修正及び変更させることができるとのことを理解することができる。
【符号の説明】
【００９９】
１００、４００    電圧範囲判断回路
１２０、４２０    対象電圧生成部
１４０、４４０    選択電圧生成部
１６０、４６０    比較電圧生成部
１８０、４８０    出力信号生成部
２００、５００    電圧供給回路
３００、６００    ディスプレイ駆動電圧回路
７００           ディスプレイ装置
【図１】
2011061777.tif 000003
【図２】
2011061777.tif 000004
【図３】
2011061777.tif 000005
【図４】
2011061777.tif 000006
【図５】
2011061777.tif 000007
【図６】
2011061777.tif 000008
【図７】
2011061777.tif 000009
【図８】
2011061777.tif 000010
【図９】
2011061777.tif 000011
【図１０】
2011061777.tif 000012
【図１１】
2011061777.tif 000013
【図１２】
2011061777.tif 000014
【図１３】
2011061777.tif 000015
【図１４】
2011061777.tif 000016
【図１５】
2011061777.tif 000017
【図１６】
2011061777.tif 000018
【図１７】
2011061777.tif 000019
【図１８】
2011061777.tif 000020
【図１９】
2011061777.tif 000021
【図２０】
2011061777.tif 000022
【図２１】
2011061777.tif 000023
【図２２】
2011061777.tif 000024
【図２３】
2011061777.tif 000025